(57)【要約】【課題】給水装置の運転に関する情報をより正確な時刻と共に記憶できる給水装置を提供する。また、こうした給水装置において装置の部品点数を低減する。【解決手段】給水装置は、建物に水を供給するための給水装置であって、通信部と、制御部と、を備える。通信部は、外部表示器と通信することができるように構成され、給水装置の各種情報を外部表示器に送信可能であり、且つ外部表示器から時刻情報を受信可能である。制御部は、給水装置の各種情報を、外部表示器から受信される時刻情報に基づく時刻と共に記憶部に記憶する。【選択図】図４
2018059485.tif 000002
【特許請求の範囲】
【請求項１】
建物に水を供給するための給水装置であって、
外部表示器と通信することができるように構成され、前記給水装置の各種情報を前記外部表示器に送信可能であり、且つ前記外部表示器から時刻情報を受信可能な通信部と、
前記給水装置の各種情報を、前記外部表示器から受信される時刻情報に基づく時刻と共に記憶部に記憶する制御部と、
を備える給水装置。
【請求項２】
前記給水装置の各種情報には、給水装置の運転に関する情報が含まれ、
前記制御部は、前記外部表示器から受信される時刻情報に基づいて前記給水装置の時刻を設定し、前記給水装置の運転に関する情報を、前記設定した前記給水装置の時刻と共に前記記憶部に記憶する、
請求項１に記載の給水装置。
【請求項３】
前記給水装置は、前記記憶部を備えており、
前記記憶部は、前記給水装置の運転に関する情報と共に前記外部表示器から受信される時刻情報に基づく時刻が記憶される不揮発性の記憶領域を有する、
請求項１または請求項２に記載の給水装置。
【請求項４】
前記通信部は、前記外部表示器から前記給水装置の制御のための設定入力を受信することができ、
前記制御部は、前記外部表示器から受信される前記設定入力を、前記給水装置の運転に関する情報として前記外部表示器から受信される時刻情報に基づく時刻と共に前記記憶部に記憶する、
請求項１から３の何れか１つに記載の給水装置。
【請求項５】
前記制御部は、前記給水装置の各種情報として、前記給水装置の異常情報、前記ポンプの運転・停止、前記ポンプの流入圧力、前記ポンプの吐出し圧力、前記ポンプが有するモータの電流値、前記ポンプからの流量情報、前記ポンプの温度、前記ポンプの回転数のうち、少なくとも一部を前記記憶部に記憶する、
請求項１から４の何れか１つに記載の給水装置。
【請求項６】
前記通信部は、前記外部表示器から電波を受信して該電波を電力に変換する制御部側アンテナ部を有する請求項１から５の何れか１つに記載の給水装置。
【請求項７】
前記通信部は、前記情報を近距離無線通信（ＮＦＣ）によって前記外部表示器に送信する、請求項１から６の何れか１つに記載の給水装置。
【請求項８】
前記制御部は、前記給水装置の各種情報として、前記外部表示器との通信記録を前記記憶部に記憶することを特徴とする
請求項１から７の何れか１つに記載の給水装置。
【発明の詳細な説明】
【技術分野】
【０００１】
本発明は、給水装置に関する。
【背景技術】
【０００２】
給水装置は、建物等の給水対象に水道水を供給するために広く使用されている。給水装置の給水方式としては、水道本管の水を一旦受水槽に貯留し、受水槽の水を給水対象へポンプにて加圧する受水槽方式、及び、水道本管の本管圧を利用しポンプにて増圧することにより給水対象へ水を供給する直結給水方式などが知られている。給水装置では、制御部によりポンプが制御され、例えばポンプの吐出し圧力に基づいて推定末端圧力一定制御または目標圧力一定制御が行われる。また、給水装置が複数台のポンプを備える場合には、給水量に応じて運転ポンプの台数制御、及び、起動するポンプをローテーションする制御が行われる。こうした制御部によるポンプの制御は、給水装置の設置状況および給水対象に応じて記憶部に予め記憶された設定値（設定情報）に基づいて行われる。
【０００３】
給水装置の設定情報は、建物等の使用状況および環境の変化に応じて変更が求められる場合がある。一般的に、設定情報の変更は、給水装置に設けられている運転パネルによって行われる。しかし、通常、給水装置は自動制御がなされるため、運転パネルが操作される機会は少ない。また、給水装置は、機械室またはポンプ室などの電気的なノイズが多い環境に設置されることがあり、電気的ノイズに強い７セグメントＬＥＤおよび表示灯などが使用されている。このため、運転パネルは比較的簡略化された構成になり、また設定情報を変更する操作は頻度も小さいため、利便性が重要視されずに操作が複雑になりやすい。特に、複数の設定情報を変更する場合には運転パネルの操作が煩雑となる。
【０００４】
そして、近年、携帯端末にて操作することができる給水装置が提案されている。携帯端末にて給水装置を操作することにより、給水装置の運転パネルを簡略化することができるとともに、携帯端末の操作部を利用して給水装置に不慣れなユーザーでも容易に給水装置を操作することができる。
【先行技術文献】
【特許文献】
【０００５】
【特許文献１】特開２００５−１７１７８８号公報
【発明の概要】
【発明が解決しようとする課題】
【０００６】
上記したように、携帯端末などの外部表示器を用いて給水装置を操作することができる場合、簡単な操作によって給水装置の設定を変更できるため、誤った設定の変更をしてしまい、給水装置の動作に支障をきたすおそれがある。よって、給水装置に不具合が発生した場合には、設定変更が行われた履歴を参照することが、不具合の原因を究明するのに非常に有効となる。
【０００７】
設定変更の履歴だけにかかわらず、給水装置では、異常検出履歴およびポンプに関する履歴など、給水装置の運転に関する情報の履歴を記憶することが機器の保守点検の一環に役立つ。こうした情報の履歴を記憶するときには、情報を記憶するときの時刻情報を合わせて記憶することが有効である。しかし、給水装置の設置されている環境や給水装置の個体差などの原因により、給水装置の制御に用いられている時刻には誤差が生じている可能性がある。このため、給水装置の運転に関する情報の履歴を正確に記憶するには、給水装置の制御に用いられている時刻を定期的に補正する必要がある。
【０００８】
また、給水装置では、メンテナンス時または落雷等の異常時において、電源遮断が予想される。電源遮断時に給水装置の時刻情報を更新するには、給水装置のクロックに電源を供給するバッテリーが必要となり、部品点数およびコストの増加の一因となっている。また、バッテリーを備える場合には、バッテリーの定期的なメンテナンスおよび交換も必要となる。
【０００９】
本発明は、上述した事情に鑑みてなされたもので、給水装置の運転に関する情報をより正確な時刻と共に記憶できる給水装置を提供することを目的の１つとする。また、こうした給水装置において装置の部品点数を低減することを目的の１つとする。
【課題を解決するための手段】
【００１０】
（手段１）
本発明の給水装置は、建物に水を供給するための給水装置であって、通信部と、制御部と、を備える。通信部は、外部表示器と通信することができるように構成され、給水装置の情報を外部表示器に送信可能であり、且つ外部表示器から時刻情報を受信可能である。制御部は、給水装置の各種情報を、外部表示器から受信される時刻情報に基づく時刻と共に記憶部に記憶する。
【００１１】
かかる構成により、本発明の給水装置は、外部表示器と通信するときに外部表示器から時刻情報を受信する。これにより、より正確な時刻を取得することができる。そして、給水装置の運転に関する情報を、より正確な時刻と共に記憶することができる。また、電源の遮断時に給水装置の時刻情報を更新するためのバッテリーを備えなくても、電源復帰後に外部表示器と通信するときに、外部表示器から時刻情報を受信して給水装置の時刻情報を補正することもできる。このため、装置の部品点数を低減することもできる。
ここで、外部表示器から受信される時刻情報に基づく時刻は、外部表示器から受信した時刻そのものであってもよいし、外部表示器から受信される時刻に基づいて給水装置が計時した時刻であってもよい。また、給水装置の運転に関する情報は、給水装置の制御に関する設定入力、給水装置の異常情報、ポンプの運転・停止、ポンプの流入圧力、ポンプの吐出し圧力、ポンプが有するモータの電流値、ポンプからの流量情報、ポンプの温度、ポンプの回転数のうち、少なくとも一部が含まれる。
【００１２】
（手段２）
手段１に記載の給水装置であって、給水装置の各種情報には、給水装置の運転に関する情報が含まれてもよい。そして、制御部は、外部表示器から受信される時刻情報に基づいて給水装置の時刻を設定し、給水装置の運転に関する情報を、設定した給水装置の時刻と共に記憶部に記憶してもよい。
こうすれば、外部表示器から受信される時刻情報に基づいて給水装置の時刻をより正確に設定することができる。また、給水装置が電源遮断時に計時しなくても、外部表示器と通信して給水装置の時刻を設定することができ、給水装置の構成を簡易にできる。
【００１３】
（手段３）
手段１又は２に記載の給水装置であって、給水装置は、記憶部を備えてもよい。そして、記憶部には、給水装置の運転に関する情報と共に外部表示器から受信される時刻情報に基づく時刻が記憶される不揮発性の記憶領域を有してもよい。
こうすれば、給水装置への電源の供給が遮断されたときにも、記憶部に記憶された情報を保つことができる。
【００１４】
（手段４）
手段１から３の何れか１つに記載の給水装置であって、通信部は、給水装置の制御のた
めの設定入力を受信することができてもよい。そして、制御部は、外部表示器から受信される設定入力を、給水装置の運転に関する情報として、外部表示器から受信される時刻情報に基づく時刻と共に記憶部に記憶してもよい。
こうすれば、外部表示器から設定入力を受信したときに、その履歴をより正確な時刻とともに記憶することができる。
【００１５】
（手段５）
手段１から４の何れか１つに記載の給水装置であって、制御部は、給水装置の各種情報として、給水装置の異常情報、ポンプの運転・停止、ポンプの流入圧力、ポンプの吐出し圧力、ポンプが有するモータの電流値、ポンプからの流量情報、ポンプの温度、ポンプの回転数のうち、少なくとも一部を記憶部に記憶してもよい。
【００１６】
（手段６）
手段１から５の何れか１つに記載の給水装置であって、通信部は、外部表示器から電波を受信して該電波を電力に変換する制御部側アンテナ部を有してもよい。
【００１７】
（手段７）
手段１から６の何れか１つに記載の給水装置であって、通信部は、情報を近距離無線通信（ＮＦＣ）によって外部表示器に送信してもよい。
【００１８】
（手段８）
手段１から７の何れか１つに記載の給水装置であって、制御部は、給水装置の各種情報として、外部表示器との通信記録を記憶部に記憶してもよい。
【図面の簡単な説明】
【００１９】
【図１】本発明の実施形態に係る給水装置の一例を示す平面図である。
【図２】本発明の実施形態に係る給水装置の一例を示す正面図ある。
【図３】本発明の実施形態に係る給水装置の一例を示す左側面図である。
【図４】制御部の一例を示す概略ブロック構成図である。
【図５】制御部により実行されるタイマーカウント処理の一例を示すフローチャートである。
【図６】制御部により実行される設定情報変更処理の一例を示すフローチャートである。
【図７】制御用メモリに記憶される異常履歴の一例を示す図である。
【図８】外部表示器に表示されるポンプ運転履歴の一例を示す図である。
【図９】制御部により実行される設定情報変更処理の別の一例を示すフローチャートである。
【図１０】制御部により実行される通信時制御処理の一例を示すフローチャートである。
【図１１】変形例の制御部および外部表示器を示す図である。
【発明を実施するための形態】
【００２０】
以下、本発明の実施形態について図面を参照して説明する。なお、図面では同一または相当する構成要素には同一の符号を付して、重複した説明を省略する。
【００２１】
図１〜図３は本発明の実施形態に係る給水装置の一例を示す模式図であり、図１は平面図、図２は正面図、図３は左側面図である。図示するように給水装置１０は、ベース２０の上に、二台のポンプ３０Ａ，３０Ｂと、これらポンプ３０Ａ，３０Ｂの中間に配置される圧力タンク５０とが載置されている。また、給水装置１０は、ポンプ３０Ａ，３０Ｂの吐出側に接続される吐出配管４０と、圧力タンク５０の上部に設置される制御盤６０とを具備して構成されている。以下各構成部品について説明する。
【００２２】
まず、給水装置１０の建物への給水方式としては、水道本管の水を一旦受水槽に貯留し、受水槽の水を給水対象へポンプにて増圧する受水槽方式、及び、水道本管の本管圧を利用しポンプにて増圧することにより給水対象へ水を供給する直結給水方式などがある。また、給水対象への給水方式としては、ポンプにて増圧した水を直接圧送する直送式、または、ポンプにて増圧した水を屋上のタンクに一旦貯留し、自然流下にて給水を行う高置水槽方式等がある。
【００２３】
ベース２０は略矩形の平板状で、長手方向の両側辺は下方向に折り曲げられた後に外方向に折り曲げられることで、Ｌ字状の固定辺２３，２３を構成している。
【００２４】
ポンプ３０Ａ，３０Ｂは、それぞれポンプ部３１Ａ，３１Ｂと、これらを駆動するモータ部３３Ａ，３３Ｂとを備えている。ポンプ部３１Ａ，３１Ｂの手前側の端面には、図示しない受水槽または水道本管から分岐した供給管(不図示)を接続する吸込部３５Ａ，３５Ｂが設けられ、またポンプ部３１Ａ，３１Ｂの上面には吐出部３７Ａ，３７Ｂが設けられている。なお、直結給水方式の場合には、吸込部３５Ａ，３５Ｂが水道本管から分岐した供給管に逆流防止装置(不図示)を介して接続され、供給管には、水道本管の圧力を検出する図示しない圧力センサが設けられる。以下、供給管に設けられる水道本管の圧力を計測する圧力センサにより検出される圧力値を「流入圧力」という。
【００２５】
吐出配管４０は略Ｔ字状の配管であり、両ポンプ３０Ａ，３０Ｂの吐出部３７Ａ，３７Ｂに、フロースイッチ４９Ａ，４９Ｂ、及びチェッキ弁（逆止弁）４７Ａ，４７Ｂを介してその両端が接続されている。また吐出配管４０の中央には吐出集合管４３が設けられている。これによって両ポンプ３０Ａ，３０Ｂの吐出側は並列に接続され、両ポンプ３０Ａ，３０Ｂの吐出流体は吐出集合管４３にて合流する。またチェッキ弁４７Ａ，４７Ｂによって、ポンプ３０Ａ，３０Ｂが停止したときに吐出配管４０内の水がポンプ３０Ａ，３０Ｂ側に逆流しない。また吐出配管４０の中央の下部にはこの吐出配管４０を圧力タンク５０に連結する連結配管４５が取り付けられ、さらに吐出配管４０には配管内圧力を検出する圧力センサ４８が取り付けられている。そして圧力タンク５０とチェッキ弁４７Ａ，４７Ｂの効果によって、ポンプ３０Ａ，３０Ｂが停止した後の吐出配管４０内の圧力は、水が使用されない限り一定圧力に保持される。以下、圧力センサ４８により検出される圧力値を「吐出し圧力」という。
【００２６】
なお、本実施例ではポンプ３０Ａ，３０Ｂとポンプ２台の構成だが、ポンプ台数は１台もしくは３台以上の複数台の構成としてもよい。
【００２７】
制御盤６０は、ケース６１内に、ポンプの運転制御を行う各種電気回路からなる制御部６５を内蔵して構成されている。この制御部６５は、外部表示器８０と有線または無線により通信する通信部７３を備えている。外部表示器８０としては、例えばスマートフォン、携帯電話、パソコン、タブレット等の汎用端末機器、または遠方監視器などの専用端末機器が採用される。
【００２８】
図４は、制御部の一例を示す概略ブロック構成図である。図示するように、制御部６５は、制御用メモリ６６と、演算部６９と、Ｉ／Ｏ部（入力部および出力部）７０と、運転パネル（操作表示部）７９と、通信部７３と、を備えている。設定部７１及び表示部７２は、運転パネル（操作表示部）７９に備えられている。
【００２９】
また、図３のように制御部６５は通信部７３と別々の基板としてもよい。その場合は、制御部６５と通信部７３はシリアル通信や信号線等の有線もしくは無線通信にて接続される。制御部６５と通信部７３を別々の基板とした場合は、給水装置１０から離れた場所（例えば、管理人室や遠隔監視室等）に設置し、制御部６５とシリアル通信や信号線等で接
続された遠隔監視用の機器内に通信部７３を構成してもよい。
【００３０】
設定部７１は、外部操作により、給水を行うのに必要な各種設定値（設定情報）を設定するのに使用される（設定入力）。設定部７１において設定された各種設定値は、制御用メモリ６６に記憶される。一例として、ユーザーは、設定部７１を介して、停止圧力、始動圧力、及び、その他制御に必要な情報を設定情報として入力（設定入力）し、設置現場にて設定情報を変更できるようになっている。
【００３１】
また、設定情報には、外部表示器８０による設定情報の変更を制限する変更制限情報が含まれてもよい。変更制限情報によって設定情報の変更が禁止されているときには、外部表示器８０から設定情報を変更することができない。この場合には、設定部７１を通じて変更制限情報を変更することで、外部表示器８０による設定情報の変更（設定入力）が許容される。これにより、例えば、メンテナンス作業中に、第三者が外部表示器８０により設定情報を変更することを防止することができる。また、給水装置１０は、マンションやビルの道路に面した外壁面に設置されることもあり、第三者が外部表示器８０を用いて不正なアクセスすることが懸念される。これら不正アクセスが確認された場合に、制御部６５は、変更制限情報を変更することによって、外部表示器８０による設定情報の変更を禁止するとよい。そうすれば、外部表示器８０にて設定入力ができなくなり、第３者における不正アクセス等を防止することができる。更に、制御部６５は、変更制限情報にて外部表示器８０による通信を禁止してもよい。そうすれば、外部表示器８０にて給水装置１０の各種情報を閲覧することもできなくなるため、不正アクセスへのセキュリティがより向上することとなる。なお、変更制限情報は、設定情報の内容ごとに設定できるものとしてもよい。
【００３２】
本実施形態では設定部７１には、各種設定情報を設定する設定モードとするための設定ボタン７５が備えられている。設定ボタン７５が所定時間（例えば１秒）長押しされると設定部７１（操作表示部７９）は設定モードとなり、ユーザーは、操作表示部７９より各種設定値を設定変更することができる。
【００３３】
表示部７２は、ユーザーインターフェースとして機能し、制御用メモリ６６又は通信用メモリ６７に格納されている設定値等の各種データや、現在のポンプ３０Ａ，３０Ｂの運転状況（運転情報）、例えばポンプ３０Ａ，３０Ｂのそれぞれの運転または停止、運転周波数、電流、流入圧力、吐出し圧力、モータ部３３Ａ，３３Ｂを駆動するインバータのトリップ、吸入側圧力低下警報、及び、受水槽警報等を表示する。
【００３４】
制御用メモリ６６には、給水装置１０を制御するための制御プログラム、給水装置１０の装置情報、故障履歴、運転履歴、及び、設定部７１を通じて入力された設定情報等が格納されている。ここで、ポンプの出力は、モータ部３３Ａ，３３Ｂの容量やモータ部３３Ａ，３３Ｂを駆動するためのインバータの容量等にて代用してもよい。また、故障発生時には故障履歴、定期的に給水装置１０の運転履歴等の情報も制御用メモリ６６に記憶される。
【００３５】
制御用メモリ６６としては、ＲＯＭ、ＨＤＤ、ＥＥＰＲＯＭ、ＦｅＲＡＭ、及び、フラッシュメモリ等の不揮発性メモリ、ＲＡＭ等の揮発性メモリが使用される。制御用メモリ６６には、各種データ、例えば演算部６９における演算結果のデータ（運転時間、積算値等）、圧力値（流入側圧力、吐出側圧力）、設定部７１を通じて入力された設定情報、及びＩ／Ｏ部７０を通じて入力される、またはＩ／Ｏ部７０を通じて出力されるデータ等が格納される。
【００３６】
Ｉ／Ｏ部７０としては、ポート等が使用される。Ｉ／Ｏ部７０は、圧力センサ４８の入
力信号、及び、フロースイッチ４９Ａ，４９Ｂの信号等を受け入れて演算部６９に送る。演算部６９としては、ＣＰＵが使用される。演算部６９は、制御用メモリ６６に格納されているプログラム及び各種データ、並びにＩ／Ｏ部７０から入力される信号に基づいて、ポンプ３０Ａ，３０Ｂを運転するための各種データの設定、計時、及び、演算等を行う。演算部６９からの出力は、Ｉ／Ｏ部７０に入力される。なお、演算部６９内に計時を行うためのクロックを有してもよいし、演算部６９の外部にセラロック、水晶振動子または水晶発振器等を設けて、その入力信号をクロックとしてカウントしてもよい。
【００３７】
また、Ｉ／Ｏ部７０とポンプ３０Ａ，３０Ｂを駆動するインバータとは、ＲＳ４２２，２３２Ｃ，４８５等の通信手段により互いに接続される。Ｉ／Ｏ部７０からポンプ３０Ａ，３０Ｂへは、各種設定値や周波数指令値、発停信号（運転・停止信号）などの制御信号がインバータへ送られ、ポンプ３０Ａ，３０ＢからＩ／Ｏ部７０へは、実際の周波数値や電流値等の運転状況（運転情報）がインバータから逐次送られる。
【００３８】
なお、Ｉ／Ｏ部７０とポンプ３０Ａ，３０Ｂを駆動するインバータとの間で送受信される制御信号としては、アナログ信号および／またはデジタル信号を用いることができる。例えば、回転周波数等にはアナログ信号を用い、運転停止指令等にはデジタル信号を用いることができる。また、３０Ａ，３０Ｂの可変速制御を行わない場合はインバータはなくてもよい。
【００３９】
通信部７３は、有線通信または無線通信によって外部表示器８０と通信可能なように構成されている。無線通信としては、例えば近距離無線通信（ＮＦＣ：Near  Field  Communication）の技術を利用することができる。また、Ｂｌｕｅｔｏｏｔｈ（登録商標）およびＷｉ−Ｆｉなど、任意の方式の無線通信を利用することができる。ただし、ＮＦＣは、制御部６５と外部表示器８０とを近づけるだけで通信を完了させることができる点で有利である。また、有線通信としては、例えば制御部６５にＵＳＢ（Universal  Serial  Bus）のような外部接続端子が設けられ、ここに外部表示器８０が接続されることによって通信がなされてもよいし、ＲＳ４２２，２３２Ｃ，４８５等のシリアル通信を用いてもよい。
【００４０】
本実施形態では、表示部７２として、７セグメントＬＥＤ及び表示灯などの簡易な表示器を採用することができる。ただし、表示部７２は、こうした例に限定されず、ドットマトリクス方式による液晶表示器などであってもよい。また、外部表示器８０として、タッチ入力方式または押圧ボタン方式を用いた液晶画面での高機能表示器を採用することができる。この場合、表示部７２には簡易な情報を表示でき、外部表示器８０には大きな情報量の情報を表示できる。こうした構成により、外部表示器８０に、制御部６５によるポンプ３０Ａ，３０Ｂの運転状況に関した情報など（例えば、目標圧ＳＶ、現在圧ＰＶ、ポンプ３０Ａ，３０Ｂの運転・停止、及び、ポンプ３０Ａ，３０Ｂの周波数など）を同一画面上に表示することによって、給水装置に不慣れなユーザーも誤解することなく、給水装置１０の状態を認識したり、設定変更を行うことができる。また、給水装置１０は、機械室またはポンプ室などの電気的なノイズの多い環境に設置されることがある。こうした場合に備えて、表示部７２として、液晶表示やタッチパネルよりも電気的ノイズに強い７セグメントＬＥＤや表示灯、機械的な押圧ボタンなどにて構成された表示器が使用されてもよい。これにより、外部環境から発生される電気的なノイズによって外部表示器８０の液晶表示やタッチパネル操作に異常が発生した場合でも、表示部７２により給水装置１０の運転に必要な最低限度の表示および操作を行うことができる。したがって、給水装置１０を電気的ノイズの多い環境下にも設置することができる。
【００４１】
さらに、外部表示器８０として、スマートフォン、携帯電話、パソコン、又は、タブレットなどの汎用端末機器を採用した場合には、これらの機器に、外部表示器８０として作
用するための専用のアプリケーションソフトウエアをインストールさせてもよい。この場合には、専用のアプリケーションソフトウエアをユーザーのレベル又は目的に沿って複数用意してもよい。
【００４２】
外部表示器８０は、給水装置１０と通信時には、正確な時刻を保有する機能を有するとよい。その一例として、外部表示器８０は、ＧＰＳを保有しており、更には、公衆回線やネットワーク等を介して、定期的に現在地点における標準時を取得する通信機能を保有する機器を用いるとよい。そして、給水装置１０と通信を行う際には上述した給水装置１０と通信する専用のアプリケーションソフトウエアで、この標準時を参照し給水装置に送信するとよい。但し、本実施例においては、給水装置１０と通信するときにのみ正確な時刻を保有していればよく、外部表示器８０による正確な時刻の取得の方法は、上述した標準時の自動取得のみに限らない。専用のアプリケーションソフトウエアにて、現在時刻の入力機能を設け、給水装置１０と通信する前にユーザーが時刻合わせを行っても良い。例えば、給水装置１０は地下のポンプ室など電波の届かない場所に設置されることがある。外部表示器８０を用いて給水装置の時刻を設定することは、ポンプ室外に外部表示器を移動させ電波の届く場所にて正確な時刻の設定を行うこととなる。よって、正確な時刻を給水装置１０は保有することができる。
【００４３】
なお、制御部６５に運転パネル７９または表示部７２が設けられずに、外部表示器８０のみが設けられてもよい。この場合、上述した運転パネル７９の機能は外部表示器８０にて全て実施可能とする。給水装置１０には表示器自体を設ける必要がなくなるので、給水装置１０全体のコストを更に下げることが可能である。
【００４４】
次に、制御部６５による給水装置１０の給水制御における自動運転ついて説明する。ポンプ３０Ａ，３０Ｂが停止している状態で吐出し圧力が所定の始動圧力にまで低下すると、制御部６５はポンプ３０Ａ，３０Ｂの少なくとも一方を始動させる。具体的には、制御部６５はポンプ３０Ａ，３０Ｂの駆動を開始するようにモータ部３３Ａ，３３Ｂ（インバータを備える場合にはインバータ）に指令を出す。ポンプ３０Ａ，３０Ｂの運転中は、設定された圧力（設定圧）により推定末端圧力一定制御または目標圧力一定制御などの制御が行われる。具体的には推定末端圧力一定制御の場合はポンプ３０Ａ，３０Ｂの回転数と目標圧力制御カーブとを用いて目標圧（ＳＶ）を設定し、目標圧力一定制御の場合は設定圧を目標圧（ＳＶ）とする。また、吐出し圧力を現在圧（ＰＶ）とする。そして、ＳＶとＰＶの偏差にてＰＩＤ演算を行いポンプ３０Ａ，３０Ｂの指令回転数が設定される。なお、直結給水にて推定末端圧力一定制御を行う場合、流入圧力に基づいて目標圧力制御カーブを補正してもよい。具体的には目標圧力制御カーブを流入圧力だけ加算し、目標圧（ＳＶ）を算出する。また、制御部６５は、本実施形態のようにポンプが複数台ある場合は、同時に起動可能なポンプ台数（ポンプ並列運転台数）にて水量に応じたポンプの台数制御も行われる。
【００４５】
ポンプ３０Ａ，３０Ｂの運転中に建物での水の使用が少なくなると、フロースイッチ４９Ａ，４９Ｂは、過少水量を検出し、その検出信号を制御部６５に送る。制御部６５はこの検出信号を受け、ポンプ３０Ａ，３０Ｂに指令を出して吐出し圧力が所定の運転停止圧力に達するまでポンプ３０Ａ，３０Ｂの回転数を増加させ、圧力タンク５０に蓄圧した後ポンプ３０Ａ，３０Ｂを停止（小水量停止）させる。ポンプ３０Ａ，３０Ｂが小水量停止した後に、再び建物内で水が使用されると吐出し圧力が始動圧力以下まで低下しポンプ３０Ａ，３０Ｂが始動する。なお、本実施形態のようにポンプが複数台ある場合には、始動するポンプ３０Ａ，３０Ｂをローテーションさせ、ポンプ３０Ａ，３０Ｂ内に水が滞留するのを防ぐことが好ましい。また、小水量を検知する方法としては、フロースイッチ４９Ａ，４９Ｂを用いずに、モータ部３３Ａ，３３Ｂの電流値による低負荷や締切圧力等その他の手段を用いてもよい。
【００４６】
次に、給水装置１０による履歴の記憶について説明する。実施形態の給水装置１０では、給水装置１０の運転に関する情報として、設定情報（設定値）の変更履歴、給水装置１０の異常情報、ポンプ３０Ａ，３０Ｂの運転・停止、ポンプ３０Ａ，３０Ｂの吐出し圧力（直結給水方式の場合は吐出し圧力および流入圧力）、ポンプ３０Ａ，３０Ｂ（モータ部３３Ａ，３３Ｂ）の電流値、ポンプ３０Ａ，３０Ｂの流量、および、ポンプ３０Ａ，３０Ｂの温度について、各履歴が制御用メモリ６６に記憶される。これらの履歴は、時刻と共に記憶される。なお、これらの履歴は、制御用メモリ６６が不揮発性記憶領域を有する場合にはその不揮発性記憶領域に記憶されてもよい。
【００４７】
本実施形態では、制御部６５により設定される履歴用カウントＣｈに基づいて、履歴と共に記憶される時刻が算出される。図５は、制御部６５により実行されるタイマーカウント処理の一例を示すフローチャートである。タイマーカウント処理では、制御部６５は、クロックが所定の期間まで達しカウントアップがなされるのを待つ（ステップＳ１００）。そして、カウントアップがなされると（Ｓ１００：Ｙｅｓ）、制御部６５は、履歴用カウントＣｈをインクリメント処理し（ステップＳ１０２）、基準時刻Ｔ０に履歴用カウントＣｈを加えて現在時刻Ｔｃを算出して（ステップＳ１０３）、再び内部クロックのカウントアップがなされるのを待つ。基準時刻Ｔ０は、外部表示器より受信して制御用メモリ６６に記憶されている時刻であり、詳しくは後述する。こうした処理により、履歴用カウントＣｈは、所定の期間が経過するごとにインクリメントされ、算出された現在時刻Ｔｃが更新される。なお、タイマーカウント処理は、図５に示す例に限定されず、クロックのカウントアップがなされるごとに開始されて、現在時刻Ｔｃをインクリメントする処理などであってもよい。
【００４８】
ここで、上述したＣｈのインクリメントを行う所定の期間は表示部７２にて表示する最少単位であればよい。例えば、履歴に１分単位にて年月日時分の時刻を表示するならば、履歴用カウントＣｈは１分ごとにインクリメントされ、履歴が日にち単位にて年月日と表示されるならば、１日毎にインクリメントされる。更に、複数の履歴を持つ場合、履歴用カウントＣｈは各履歴ごとに保有しても良いし、インクリメントする単位ごとに保有しても良い。また、各履歴の表示時刻は、外部表示器８０より取得できる時刻の最小単位より一桁以上大きな単位とする。例えば、外部表示器より取得可能な時刻の最小単位が年月日時分秒といった秒単位ならば、履歴表示は年月日時分、もしくは年月日時とするとよい。そうすることで、取得した時刻データと表示する時刻データの誤差を少なくすることが可能である。
【００４９】
続いて、給水装置１０による履歴の記憶の一例として、給水装置１０に設定入力がなされたときの動作を説明する。図６は、制御部６５により実行される設定情報変更処理の一例を示すフローチャートである。この設定情報変更処理は、外部表示器８０から給水装置１０に対して設定情報の変更が適切に要求され、設定情報が変更されるときに実行される。設定情報変更処理が開始されると、制御部６５は、まず、外部表示器８０からの設定入力に応じて設定情報を変更する（ステップＳ２００）。このときには、制御部６５は、制御用メモリ６６に記憶されている設定情報を変更して記憶する。
【００５０】
ここで、設定情報の変更履歴として、上述した変更制限情報の変更履歴を保存してもよい。上述したように、不正アクセスが確認された場合に、制御部６５は、変更制限情報を変更する。変更制限情報が制御部６５にて変更されたことを意味する履歴を残すことで、不正アクセスがなされたことの履歴を残すことができる。また、制御部６５が外部表示器より不正アクセスされたと判断した時に、その時刻と不正アクセスした外部表示器８０の識別情報とを、給水装置１０の各種情報として履歴に残してもよい。
【００５１】
設定情報を変更すると、制御部６５は、設定入力をした外部表示器８０から時刻情報Ｔ１を受信したか否かを判定する（ステップＳ２０２）。ここで、制御部６５は、外部表示器８０からの設定情報の変更が適切になされたときには、外部表示器８０に対して時刻情報Ｔ１を送信するように要求するものとしてもよい。また、外部表示器８０が給水装置１０に対して設定情報の変更を要求するための信号に、時刻情報Ｔ１が含まれるものとしてもよい。
【００５２】
制御部６５は、外部表示器８０から時刻情報Ｔ１を受信しているときには（Ｓ２０２：Ｙｅｓ）、設定情報の変更履歴を、外部表示器８０から受信した時刻Ｔ１とともに制御用メモリ６６に記憶する（ステップＳ２０４）。続いて、制御部６５は、基準時刻Ｔ０を外部表示器８０からの時刻情報Ｔ１に置き換え（ステップＳ２０６）、履歴用カウントＣｈを値０にリセットして（ステップＳ２０８）、設定情報変更処理を終了する。これにより、基準時刻Ｔ０には、最新に外部表示器８０から受信された時刻情報Ｔ１が設定される。一般に、携帯端末などの外部表示器８０は、先に述べたように、通信を利用して時刻の誤差を修正する機能を有している場合が多く、比較的正確な時刻情報を有している。このため、本実施形態の給水装置１０は、外部表示器８０から時刻情報Ｔ１を受信し、給水装置１０の運転に関する情報の履歴を、受信した時刻Ｔ１とともに記憶する。これにより、演算部６９のクロックの精度に関係なく給水装置１０の履歴情報をより正確な時刻と共に記憶することができる。
【００５３】
制御部６５は、外部表示器８０から時刻情報Ｔ１を受信していないときには（Ｓ２０２：Ｎｏ）、制御部６５は、設定情報の変更履歴を、算出された現在時刻Ｔｃとともに制御用メモリ６６に記憶して（ステップＳ２１０）、設定情報変更処理を終了する。上記したように、基準時刻Ｔ０には最新に外部表示器８０から受信された時刻Ｔ１が設定され、この基準時刻Ｔ０に基づいて現在時刻Ｔｃが算出される。こうした処理により、外部表示器８０から時刻情報Ｔ１を受信していないときにも、基準時刻Ｔ０に基づいて、給水装置１０の履歴情報をより正確な時刻とともに記憶することができる。
【００５４】
本実施形態では、外部表示器８０以外の設定入力手段にて設定変更が行われた場合でも、算出された時刻Ｔｃを用いて変更履歴を記憶することが可能である。例えば、運転パネル７９より設定入力を行う際には、ユーザーが時刻情報を入力する手間を省き、演算にて算出された時刻Ｔｃにて変更情報を履歴し、外部表示器８０より設定入力する際には正確な時刻Ｔ１を受信して、時刻Ｔ１を用いて履歴する。このように入力手段により時刻の設定のありなしが決まる場合は、どの手段にて設定入力されたか(運転パネル７９からの設定入力か外部表示器８０からの設定入力が等)の情報を履歴情報に追加してもよい。
【００５５】
以上のように、本実施形態の給水装置１０は、外部表示器８０から時刻情報Ｔ１を受信して基準時刻Ｔ０が設定されるため、より正確な算出された時刻Ｔｃを保持することができる。ノイズ等の影響で演算部６９のクロックが異常発振し、算出された時刻Ｔｃの誤差が大きくなっても、制御部６５は、正確な時刻Ｔ１を受けとる度に、算出された現在時刻Ｔｃを補正することができることを意味する。また、給水装置１０への電源遮断時に計時しなくても、電源復帰後に外部表示器８０から時刻情報Ｔ１を受信することによって正確な時刻を取得することができる。このため、計時用のバッテリーなどを備えない構成とすることができ、給水装置１０の構成を簡易にすることもできる。
【００５６】
図７は、制御用メモリ６６に記憶される給水装置１０の異常履歴の一例を示す図である。本実施形態では、給水装置１０は、異常が生じていると判断したときに、検出した異常を異常発生時刻とともに制御用メモリ６６に記憶する。この異常発生時刻には、上記した図５にて算出された時刻Ｔｃが用いられる。図７に示す例では、異常が検出される度に、そのときの算出された時刻Ｔｃと異常内容が異常履歴として記憶されている。
【００５７】
ここで、履歴Ｎｏ．４の異常は、給水装置１０の電源が遮断されてから電源復帰され、いまだ外部表示器８０から時刻情報Ｔ１を受信しないときに給水装置１０の異常が生じたために、基準時刻Ｔ０が設定されておらず、日時の欄の異常発生時刻が記憶されていない例を示している。この状態にて、何らかの表示手段により異常履歴の表示を行う場合は、図７のように日時欄は『--年--月--日--時--分』のような、時刻データを保有していないことが視認できる特殊な表示とするとよい。
【００５８】
制御部６５は、Ｎｏ．４の異常が生じたときからの経過時間Ｃｎをカウントし、そして、外部表示器８０から時刻情報Ｔ１を受信したときに、受信した時刻情報Ｔ１から経過時間Ｃｎを減算することによりＮｏ．４の異常発生時刻Ｔｎを算出してもよい。更には、履歴情報として、算出した時刻Ｔｎを外部表示器８０や表示部７２にて表示したり、制御用メモリ６６に記憶してもよい。外部表示器８０にて異常履歴表示を行う要求があった場合には、制御部６５は、先に時刻情報Ｔ１を外部表示器８０より受信しＴｎを算出した後に、異常履歴を外部表示器８０に送信すればよい。そうすることで、外部表示器８０にて異常履歴表示を行う際に、時刻データＴｎを常に表示可能となる。
【００５９】
制御用メモリ６６に記憶されている履歴情報は、外部表示器８０に送信されて外部表示器８０の液晶画面などにより表示可能とされてもよい。図８は、外部表示器８０に表示されるポンプ運転履歴の一例を示す図である。図８に示す例は、外部表示器８０は、横軸が時刻、縦軸がポンプ３０Ａ，３０Ｂの吐出側圧力（実線）および流入側圧力（破線）として、ポンプ運転履歴を示している。尚、この場合、給水装置１０は直結給水方式である。給水装置１０では、一般的に、これらの圧力値により、水の供給先の使用量やポンプ３０Ａ，３０Ｂの運転状況を把握することができる。本実施形態の給水装置１０では、上述した図５にて算出された時刻Ｔｃが、ポンプ運転履歴と共に記憶されるとよい。そうすれば、図８に示すように、算出された時刻Ｔｃを用いて、時系列にてポンプ３０Ａ，３０Ｂの吐出し圧力および流入圧力を表示することになり、ユーザーはより正確なポンプ運転履歴情報を確認することができる。なお、ポンプ運転履歴は、任意の期間毎に制御用メモリ６６に記憶されればよく、記憶される頻度が設定情報の変更などにより設定できてもよい。更には、図７にて説明した故障履歴と同様に、基準時刻Ｔ０が存在しない過去のポンプ運転履歴については、時刻を遡って時刻Ｔｐを設定してもよい。
【００６０】
図９は、制御部により実行される設定情報変更処理の別の一例を示すフローチャートである。図９に示す設定情報変更処理は、図６に示す設定情報変更処理に対して、ステップＳ２１０の処理に代えて、ステップＳ２０９、２１０ａが実行される。制御部６５は、外部表示器８０から時刻情報Ｔ１を受信していないときには（Ｓ２０２：Ｎｏ）、履歴用カウントＣｈに基づいて前回に外部表示器８０から時刻情報Ｔ１を受信してからの経過時間を算出する（ステップＳ２０９）。そして、制御部６５は、設定情報の変更履歴を、算出した経過時間とともに制御用メモリ６６に記憶して（ステップＳ２１０ａ）、設定情報変更処理を終了する。つまり、図９の設定情報変更処理では、外部表示器８０から時刻情報Ｔ１を受信したときには受信した時刻が記憶され、その後、前回に外部表示器８０から時刻情報Ｔ１を受信してからの経過時間が記憶される。こうした処理においても、図６に示す設定情報変更処理と同様に、給水装置１０の制御に関する情報の履歴を、正確な時刻とともに記憶することができる。
【００６１】
なお、図４の構成において、操作表示部７９に演算部(不図示)やメモリ(不図示)を追加で設けても良い。また、通信部７３にも演算部(不図示)やメモリ(不図示)を追加で設けても良い。その場合、図５および図６の処理はどの演算部にて行ってもよい。演算部を複数に分散させることにより、例えば、給水に関する処理を演算部６９にて実施し、外部表示器８０への通信データ処理を通信部の演算部にて実行し、表示操作に関する処理を表示部
の演算部にて実施するとよい。これにより同時に処理できる工程が増え、処理速度が向上する。また、給水装置１０に関連する各種設定値や各種情報も、どの記憶部にて保存してもよいし、複数のメモリに記憶してもよい。それにより、複数のメモリのうち何れかが破損した場合でも、正常に動作するメモリの情報を用いて、給水装置１０に関連する情報を復旧させることができる。
【００６２】
図４の他の構成として、演算部６９および制御用メモリ６６は、操作表示部７９に設けてもよいし、通信部７３に設けてもよいし、操作表示部７９や通信部７３を制御部６５と別基板として、通信やバスにて接続する構成としてもよい。また、メモリは揮発性メモリのみでもよいし、不揮発性メモリを備えてもよい。
【００６３】
（変形例１）
図１０は、制御部６５により実行される通信時制御処理の一例を示すフローチャートである。この通信時制御処理は、図５の処理と平行して行われるものであり、給水装置１０の通信部７３が外部表示器８０と通信したときに制御部６５により実行される。外部表示器８０との通信がなされると、まず、制御部６５は、外部表示器８０から時刻情報Ｔ１を受信したか否かを判定し（ステップＳ３００）、外部表示器８０から時刻情報Ｔ１を受信しているときには（Ｓ３００：Ｙｅｓ）、基準時刻Ｔ０を、受信した時刻Ｔ１に置き換え（ステップＳ３０２）、履歴用カウントＣｈを値０にリセットして（ステップＳ３０４）、通信時制御処理を終了する。外部表示器８０から時刻情報Ｔ１を受信していないときには（Ｓ３００：Ｎｏ）、制御部６５は、そのまま通信時制御処理を終了する。なお、制御部６５は、外部表示器８０との通信が確立されたときに、外部表示器８０に対して時刻情報Ｔ１を送信するように要求するものとしてもよい。また、外部表示器８０と通信を確立するとき、または、外部表示器８０からパスワードを受信するなどして外部表示器８０を認証するときに、外部表示器８０から給水装置１０に時刻情報Ｔ１が送信されるものとしてもよい。このように、図１０に示す通信時制御処理では、給水装置１０は、外部表示器８０と通信したときに時刻情報Ｔ１を受信して、基準時刻Ｔ０を補正するので、給水装置１０の算出された時刻Ｔｃをより正確な時刻とすることができる。
【００６４】
以上のように、図１０の通信時制御処理においても、給水装置１０は、外部表示器８０から受信した時刻情報Ｔ１に基づいて、給水装置１０の制御に関する情報を、より正確な算出された時刻Ｔｃと共に記憶することができる。尚、本変形例を用いる場合は、図６の設定情報変更処理では、ステップＳ２００とステップＳ２１０だけが行われてもよい。
【００６５】
（変形例２）
図１１は、変形例の制御部および外部表示器を示す図である。この変形例では、通信部７３が、制御部側アンテナ部７６、集積回路７７、及び、記憶部７８を備えている。記憶部７８は、通信用の揮発性メモリ（不図示）並びに不揮発性メモリ（不図示）を含んでいる。集積回路７７は、制御部側アンテナ部７６、記憶部７８に電気的に接続されている。なお、図１１に示す制御部６５Ａは表示部７２を備えていないが、表示部７２を備えてもよい。また、変形例の制御部６５Ａは、ポンプ３０Ａ，３０Ｂ等の給水装置１０の他の構成と一体に設けられていてもよいし、給水装置１０のデータを中継するための装置として給水装置１０の他の構成から離れて設けられてもよい。
【００６６】
変形例の外部表示器８０は、電波を送受信する表示器側アンテナ部８１と、表示部８２と、バッテリー８３と、データリーダー８４と、を備えている。この外部表示器８０では、表示器側アンテナ部８１で受信したデータがデータリーダー８４で読み取られる。そして、データリーダー８４で読み取られたデータ（例えば、目標圧ＳＶ、現在圧ＰＶ、ポンプ３０Ａ，３０Ｂの周波数など）が表示部８２で表示される。また、外部表示器８０より給水装置１０の各種設定値を変更することも可能とする。バッテリー８３は、表示器側ア
ンテナ部８１、データリーダー８４、および表示部８２に電力を供給する。
【００６７】
外部表示器８０として、例えばスマートフォン、携帯電話、パソコン、タブレット等の汎用端末機器を用いてもよく、遠隔監視器などの専用の端末機器を用いてもよい。特に、スマートフォンなどの汎用端末機器を外部表示器として使用すれば、専用の表示器を制作するコストが削減できるので、給水装置のコストを下げることができる。また、複数のユーザーが個々の汎用端末機器に給水装置１０の状態を表示させたり、設定を変更したりすることができるので、ユーザーのレベル又は目的に沿った操作を提供することが可能である。たとえば、マンションまたはビルの管理人のような給水装置に関する専門知識のないユーザーに対して、ポンプ３０Ａ，３０Ｂの制御に関する情報などを分かり易く知らせることができる給水装置を安価に提供することができる。
【００６８】
外部表示器８０は、近距離無線通信（ＮＦＣ：Near  Field  Communication）の技術によって制御部６５Ａと接続される。より具体的には、外部表示器８０を制御部６５Ａに近づけた状態で、表示器側アンテナ部８１が電波を発生すると、その電波を制御部側アンテナ部７６が受け取り、制御部側アンテナ部７６は電波を電力に変換する。この電力は集積回路７７および記憶部７８に供給されてこれら集積回路７７および記憶部７８を駆動する。外部表示器８０が記憶部７８のデータを読取る場合、集積回路７７は、電波に含まれる通信データに基づいて、記憶部７８に記憶されているデータを読み取り、制御部側アンテナ部７６にデータを送る。制御部側アンテナ部７６は、データとともに電波を表示器側アンテナ部８１に送信する。データリーダー８４は、表示器側アンテナ部８１が受信したデータを読み取り、そのデータを表示部８２に表示させる。また、外部表示器８０が記憶部７８のデータを変更する場合、集積回路７７は、電波に含まれる通信データに基づいて、記憶部７８のデータを変更し、制御部側アンテナ部７６にデータ変更が実行されたことを意味するデータを送る。制御部側アンテナ部７６は、データとともに電波を表示器側アンテナ部８１に送信する。データリーダー８４は、表示器側アンテナ部８１が受信したデータを読み取り、データ変更が実行されたことを表示部８２に表示させる。
【００６９】
外部表示器８０は、表示を消去するためのクリアボタン８６と、データをリセットするためのリセットボタン（不図示）を備えていてもよい。ユーザーがクリアボタン８６を押すと、表示部８２の表示が消去される。また、リセットボタンを押すと、リセット信号が制御部６５Ａに送信され、リセット信号を受信した制御部６５Ａは、メンテナンス情報などのデータをリセットする。本実施形態のクリアボタン８６は、表示部８２の画面上に現れる仮想的なボタンであるが、クリアボタン８６は表示部８２の外に設けられた機械的なボタンであってもよい。なお、実施形態および変形例の制御部６５，６５Ａにクリアボタン、リセットボタンを設けてもよい。
【００７０】
変形例では、制御部６５Ａの記憶部７８に記憶されているデータは、無線通信により制御部６５Ａから外部表示器８０に送られる。変形例によれば、給水装置１０の電源が入っていない場合でも、制御部側アンテナ部７６は外部表示器８０から発せられる電波から電力を発生し、集積回路７７および記憶部７８を駆動することができる。したがって、給水装置１０のメンテンナンス中などにおいて制御部６５に電力が供給されていないときでも、外部表示器８０は、制御部６５の記憶部７８からデータを取得して表示したり、記憶部７８に記憶されているデータを変更することができる。なお、このときには、制御部６５Ａの集積回路７７が図５に示す設定情報変更処理などを行い、設定変更履歴と時刻情報Ｔ０を記憶部７８に記憶してもよい。
【００７１】
ＮＦＣは、数ｃｍの近距離にて相互通信する技術である。変形例の制御部６５Ａを給水装置１０の他の構成と一体に設けられている場合、外部表示器８０にて各種情報を表示または変更するときには、ユーザー及びメンテナンス員は、相互通信可能な距離まで外部表
示器８０を制御部６５Ａに近づけることになる。このことは、外部表示器８０を操作するときは、ユーザーおよびメンテナンス員は給水装置１０の近くにいることを意味する。このため、例えば消耗品の交換作業中にリセットボタンが押されてポンプが起動するといった誤操作に起因した給水装置１０の予期しない動作を防止することに繋がる。また、複数の給水装置１０が設置された現場では、表示したい給水装置１０の近距離で相互通信が可能となる為、意図しない別の給水装置の状態を表示または設定変更してしまうという誤表示または誤操作を防止することが出来る。
【００７２】
なお、本実施形態または変形例の給水装置１０の通信部７３は、公衆回線やネットワーク、専用回線等を介して、保守管理会社または管理人室に設けられた遠隔監視装置(例えば、パソコン、スマートフォン、又は、専用モニター)と通信してもよい。この場合、ポンプの運転情報、設定情報の変更履歴、給水装置１０の異常履歴等が、通信部７３から遠隔監視装置に送信される。遠隔監視装置は、受信したデータを表示する表示部を備えてもよい。また、遠隔監視装置は給水装置１０から受信したデータを、外部表示器８０に送信してもよい。また、外部表示器８０および遠隔監視装置は、給水装置１０から受信したデータを外部サーバに送信して記憶させてもよい。また、遠隔監視装置から各種データの書き込みを行ってよいし、外部表示器から遠隔監視装置へ各種データを書き込み更に遠隔監視装置より給水装置１０へ各種データの書き込みを行ってもよい。このときには、給水装置１０は、外部表示器８０と通信したときと同様に、遠隔監視装置から設定情報の変更指令を受信したときに、または遠隔監視装置と通信したときに、上記した設定情報変更処理または通信時制御処理を実行して、遠隔監視装置から時刻情報Ｔ０を受信してもよい。
【００７３】
本実施形態または変形例の給水装置１０が、記憶部７８に記憶した各種履歴情報は制御用メモリ６６と共用してもよい。例えば、給水装置１０が電源断時に記憶部７８に書き込まれた情報は、給水装置１０の復電後に制御用メモリ６６にコピーされ、通電中に制御用メモリ６６の各種履歴情報が変更された場合は、記憶部７８にコピーされるとよい。但しこのようなタイミングにコピーするのみに限らず、制御用メモリ６６と記憶部７８の値が一致すればよい。
【００７４】
以上、本発明の実施の形態について説明してきたが、上記した発明の実施の形態は、本発明の理解を容易にするためのものであり、本発明を限定するものではない。本発明は、その趣旨を逸脱することなく、変更、改良され得るとともに、本発明にはその均等物が含まれることはもちろんである。また、上述した課題の少なくとも一部を解決できる範囲、または、効果の少なくとも一部を奏する範囲において、特許請求の範囲および明細書に記載された各構成要素の任意の組み合わせ、または、省略が可能である。
【符号の説明】
【００７５】
１０…給水装置
２０…ベース
３０Ａ，３０Ｂ…ポンプ
４０…吐出配管
４５…連結配管
４８…圧力センサ
５０…圧力タンク
６０…制御盤
６５，６５Ａ…制御部
６６…制御用メモリ
６７…通信用メモリ
６８…不揮発性メモリ
６９…演算部
７０…Ｉ／Ｏ部
７１…設定部
７２…表示部
７３…通信部
７６…制御部側アンテナ部
７７…集積回路
７８…記憶部
７９…運転パネル
８０…外部表示器
８１…表示器側アンテナ部
８２…表示部
８３…バッテリー
８４…データリーダー
【図１】
2018059485.tif 000003
【図２】
2018059485.tif 000004
【図３】
2018059485.tif 000005
【図４】
2018059485.tif 000006
【図５】
2018059485.tif 000007
【図６】
2018059485.tif 000008
【図７】
2018059485.tif 000009
【図８】
2018059485.tif 000010
【図９】
2018059485.tif 000011
【図１０】
2018059485.tif 000012
【図１１】
2018059485.tif 000013